(57)【要約】【課題】  従来のパチンコ機では、プランジャガイドとプランジャとの間の空気の抵抗により、プランジャによる球の打撃力がばらつき、また、励磁コイルの消費電力にロスが生じる虞があった。【解決手段】  パチンコ機１が備える球発射装置２は、励磁コイル４が励磁されていない状態では、圧縮コイルばね６２の付勢力によりプランジャ７がボビン５の後端側に位置している。励磁コイル４が励磁されると、プランジャ７がボビン５内をボビン５の前端側に移動して、球保持部１８に位置するパチンコ球Ｔをハンマー９２が打撃して、パチンコ球Ｔを遊技盤１２の盤面上に撃ち出す。この際、ボビン５内の空気は、プランジャ本体７１により押圧されて、ボビン５とプランジャガイド５４との間の空気導通路、前端側フランジ５２と金属ハウジング６との間の空気排出路を通って中空本体部３の外部に放出される。【選択図】  図１１
2005185323.tif 000002
【特許請求の範囲】
【請求項１】
励磁コイルが巻かれた中空本体部と、前記中空本体部内を前記中空本体部の前端側に移動して球を打撃するプランジャと、前記中空本体部内に設けられて前記プランジャを案内し、かつ、前記励磁コイルの励磁によって生じる磁束を強めて、前記プランジャを前記前端側に引き寄せる力を助長するプランジャガイドとからなる球発射装置を備える遊技機において、
前記プランジャガイドと前記中空本体部との間を通して、前記中空本体部内の空気を前記中空本体部の外部に導く空気導通路を備えることを特徴とする遊技機。
【請求項２】
前記空気導通路は、前記中空本体部の中空内周面または前記プランジャガイドの外周面のいずれか一方に、前記プランジャの移動方向に沿って突条または溝部を延設することにより構成されていることを特徴とする請求項１に記載の遊技機。
【請求項３】
前記空気導通路は、前記プランジャガイドの周方向において、所定間隔で複数設けられていることを特徴とする請求項２に記載の遊技機。
【請求項４】
前記中空本体部は、フランジ間に前記励磁コイルが巻かれた中空のボビンと、このボビンの前記フランジに面接触して前記ボビンを支持する金属ハウジングとからなり、
前記空気導通路は、面接触する部分の前記フランジまたは前記金属ハウジングのいずれか一方に前記フランジの中心から周縁にかけて延設された突条または溝部によって形成された空気排出路につながっていることを特徴とする請求項１から請求項３のいずれか１項に記載の遊技機。
【請求項５】
前記空気排出路は、前記フランジの中心を中心にして放射状に複数設けられていることを特徴とする請求項４に記載の遊技機。
【発明の詳細な説明】
【技術分野】
【０００１】
本発明は、遊技媒体である球を発射する球発射装置を備える遊技機に関するものである。
【背景技術】
【０００２】
従来、この種の遊技機には、下記の特許文献１に示すパチンコ機がある。このパチンコ機における球発射装置は、励磁コイルが巻かれた中空のボビン内に円筒状のプランジャを挿入して構成されている。ボビンの前端および後端の各開口部には中空円筒状のライナーが設けられており、プランジャおよびその先端に設けられたハンマー支持棒はこのライナーに摺接する。ハンマー支持棒は、断面が円形状をしており、頭部にハンマーが設けられている。プランジャの後端部には、緩衝部材が取り付けられており、また、復帰バネが挿通されている。復帰バネは、一端がヨークの後端面、他端がバネ止めでそれぞれ受けられており、バネ止めを介してプランジャをボビンの後端側に付勢している。
【０００３】
球発射装置は、励磁コイルが励磁されていない状態では、復帰バネの付勢力によりプランジャがボビンの後端側に位置している。励磁コイルが励磁されると、プランジャがプランジャガイドに引き寄せられてボビンの前端側に移動して、ハンマーが球を打撃する。この際、ボビンの前端側に移動したプランジャは、その後端部に取り付けられた緩衝部材がボビンの後端面に当接して、ボビンの前端側への移動が規制される。励磁コイルの励磁が停止すると、プランジャは、復帰バネの付勢力によりボビンの後端側に復帰する。
【特許文献１】特開２００２−２１９２６２号公報（段落［０００９］〜［００１１］）
【発明の開示】
【発明が解決しようとする課題】
【０００４】
しかしながら、上記従来の遊技機では、球発射の際、プランジャがボビンの前端側に移動するときに、ボビン内の空気の逃げ道がないことから、プランジャガイドとプランジャとの間に位置する空気の抵抗により、プランジャの移動速度が異なって、プランジャによる球の打撃力にばらつきが生じることがある。また、この空気抵抗に抗してプランジャを移動させるために、励磁コイルの励磁電力が大きくなって消費電力にロスが生じる。
【課題を解決するための手段】
【０００５】
本発明はこのような課題を解決するためになされたもので、励磁コイルが巻かれた中空本体部と、中空本体部内を中空本体部の前端側に移動して球を打撃するプランジャと、中空本体部内に設けられてプランジャを案内し、かつ、励磁コイルの励磁によって生じる磁束を強めて、プランジャを前端側に引き寄せる力を助長するプランジャガイドとからなる球発射装置を備える遊技機において、プランジャガイドと中空本体部との間を通して、中空本体部内の空気を中空本体部の外部に導く空気導通路を備えることを特徴とする。
【０００６】
この構成によれば、プランジャガイドとプランジャとの間に位置する空気は、プランジャが中空本体部を前端側に移動することにより、空気導通路を通って中空本体部の外部に放出される。このため、プランジャガイドとプランジャとの間に位置する空気の抵抗により、プランジャによる球の打撃力にばらつきが生じるのを防止できる。従って、励磁コイルの消費電力ロスを抑えつつ、プランジャによる球の打撃力を安定させることが出来る。
【０００７】
また、本発明は、空気導通路が、中空本体部の中空内周面またはプランジャガイドの外周面のいずれか一方に、プランジャの移動方向に沿って突条または溝部を延設することにより構成されていることを特徴とする。
【０００８】
この構成によれば、プランジャの移動方向に沿って突条または溝部を延設するという簡単な構成により、空気導通路を形成することが出来る。このため、遊技機の製造コストが高くなるのを抑制することが出来る。
【０００９】
また、本発明は、空気導通路が、プランジャガイドの周方向において、所定間隔で複数設けられていることを特徴とする。
【００１０】
この構成によれば、中空本体部内の空気を、中空本体部内から中空本体部の外部に、プランジャガイドの周方向に均等に放出させることが出来る。このため、プランジャの移動の際のバランスを安定させられるので、プランジャによる球の打撃力にばらつきが生じるのを効果的に防止できると共に、励磁コイルの消費電力ロスをさらに小さく抑えることが出来る。
【００１１】
また、本発明は、中空本体部が、フランジ間に励磁コイルが巻かれた中空のボビンと、このボビンのフランジに面接触してボビンを支持する金属ハウジングとからなり、空気導通路が、面接触する部分のフランジまたは金属ハウジングのいずれか一方にフランジの中心から周縁にかけて延設された突条または溝部によって形成された空気排出路につながっていることを特徴とする。
【００１２】
この構成によれば、プランジャの移動によって中空本体部の前端側まで空気導通路内を押されてきた空気が、空気排出路を通って中空本体部の外部に導かれる。このため、中空本体部内の空気を中空本体部の外部に効果的に排出できる。また、溝または突条を延設するという簡単な構成により、空気排出路を形成することが出来る。
【００１３】
また、本発明は、空気排出路がフランジの中心を中心にして放射状に複数設けられていることを特徴とする。
【００１４】
この構成によれば、空気導通路を伝って来た中空本体部内の空気が、空気排出路を経由してより効果的に中空本体部の外部に排出される。
【発明の効果】
【００１５】
このような本発明によれば、上記のように、励磁コイルの消費電力ロスを抑えつつ、プランジャによる球の打撃力を安定させることが出来る。
【発明を実施するための最良の形態】
【００１６】
次に、本発明を実施するための最良の形態について説明する。
【００１７】
図１は本実施形態によるパチンコ機１を示す斜視図である。パチンコ機１は、前面の中央部に透明遊技盤１２が設けられており、その盤面から、透明遊技盤１２の背後に設けられた液晶表示装置１３ｃが透けて観察される。透明遊技盤１２の下方には、上部受皿１１ｂ１及び下部受皿１１ｂ２が設けられている。下部受皿１１ｂ２の右方には発射ハンドル１３ａが設けられている。透明遊技盤１２の盤面中央には表示窓１２ａが設けられており、この表示窓１２ａから液晶表示装置１３ｃに表示される特別図柄が視認される。表示窓１２ａに表示された特別図柄が所定の大当たり組み合わせで揃うと、いわゆる大当たりが発生する。
【００１８】
表示窓１２ａの下方には始動入賞口１２ｂが設けられている。球発射ハンドル１３ａの操作によって盤面に撃ち出されたパチンコ玉が始動入賞口１２ｂに入賞すると、表示窓１２ａに特別図柄が変動表示されて特別図柄ゲームが開始される。また、始動入賞口１２ｂの左右には、パチンコ球が入賞すると所定個数例えば１０個の賞球が払い出される一般入賞口１２ｃが設けられている。賞球は皿ユニット１１ｂの上部受皿１１ｂ１に払い出されるが、上部受皿１１ｂ１が満杯のときは下部受皿１１ｂ２に払い出される。また、始動入賞口１２ｂの下方には、大当たり入賞が発生すると行われる大当たり遊技において扉が開閉する大入賞口１２ｄが設けられている。大入賞口１２ｄの下方には、パチンコ球を透明遊技盤１２の盤面から排出する排出口１２ｅが設けられている。
【００１９】
大当たり遊技は、特別図柄の大当たり組み合わせが特別図柄ゲームの終了時に停止表示してから行われ、大入賞口１２ｄに所定個数例えば１０個のパチンコ球が入賞するまで、または所定時間例えば３０秒が経過するまで、大入賞口１２ｄが開放したままになる遊技が最大で例えば１５ラウンド行われる。ラウンド中に、大入賞口１２ｄへ入賞したパチンコ球が大入賞口１２ｄの内部に設けられたＶゾーンと呼ばれる特定の領域に入賞すると、次のラウンドへ継続して進むことが出来るが、ラウンド中にＶゾーンに入賞しなかった場合はいわゆるパンクとなり、１５ラウンド到達以前であっても、大当たり遊技はそのラウンドで打ち切られて終了となる。
【００２０】
図２はパチンコ機１の分解斜視図である。なお、同図において図１と同一部分には同一符号を付してその説明は省略する。パチンコ機１は、四角枠状の木枠１４の前面に中枠１３が取り付けられて構成される。中枠１３は、木枠１４の前面で開閉し得るように、木枠１４の左側部に軸支される。中枠１３の前面中央部には透明遊技盤１２が取り付けられ、上部には遊技の演出音等が放音される一対のスピーカ１３ｂ，１３ｂが取り付けられる。また、中枠１３の前面の右下部には上述した発射ハンドル１３ａが取り付けられる。透明遊技盤１２及びスピーカ１３ｂ，１３ｂはガラス扉１１ａで覆われ、ガラス扉１１ａの透明ガラス部分からは遊技盤１２の盤面が観察される。また、中枠１３の下部には、皿ユニット１１ｂが取り付けられる。皿ユニット１１ｂには、上述した上部受皿１１ｂ１及び下部受皿１１ｂ２が設けられている。
【００２１】
中枠１３の背面中央部には、透明遊技盤１２に対向して液晶表示装置１３ｃが取り付けられ、更に液晶表示装置１３ｃを背後から覆うように球払出ユニット１５ａ及び基板ケースユニット１５ｂが取り付けられる。球払出ユニット１５ａは左側部、基板ケースユニット１５ｂは右側部が中枠１３に軸支され、球払出ユニット１５ａ及び基板ケースユニット１５ｂは観音扉状に開いて液晶表示装置１３ｃの背面を露出させる。液晶表示装置１３ｃは、遊技状態等に応じた演出表示をその前面でなし、上述したように透明遊技盤１２ａに特別図柄を表示する。球払出ユニット１５ａは、入賞結果に応じた数のパチンコ玉等を上部受皿１１ｂ１及び下部受皿１１ｂ２に供給する。基板ケースユニット１５ｂには、遊技動作や演出表示、球発射等を制御するための主基板や演出基板、球発射制御基板等が収納されている。
【００２２】
図３は、木枠１４に中枠１３を取り付けた状態を示す斜視図である。なお、同図において図２と同一または相当する部分には同一符号を付してその説明は省略する。中枠１３の下部には、玉送り部１６及び球発射装置２が設けられている。
【００２３】
図４は、中枠１３の球送り部１６及び球発射装置２の付近を拡大して示す斜視図であり、図５は図４において球送り部１６を取り外した状態を示す斜視図である。これら各図に示すように、球発射装置２の前方には、球発射装置２から発射されたパチンコ球Ｔを遊技盤１２内に導く球誘導路１７が設けられている。球誘導路１７は、一対の板状体１７ａ，１７ｂが対向して配置されて構成されている。球誘導路１７における球発射装置２側の端部には、球発射装置２で発射されるパチンコ球Ｔを保持する球保持部１８が設けられている。球保持部１８は、上側の板状体１７ａの端縁部から下方に向けて突出した突片１８ａと、下側の板状体１７ｂの端部に設けられた溝部１８ｂとから構成されている。球送り部１６は、球誘導路１７の側方に取り付けられており、上部受皿１１ｂ１から開口１６ａを介して導かれてきたパチンコ球Ｔを球発射装置２の前方の球保持部１８に送り出す。球保持部１８に送り出されたパチンコ球Ｔは、溝部１８ｂにより下方両脇が保持されると共に、上方が突片１８ａで係止されて球誘導路１７の端部に保持される。
【００２４】
図６は球発射装置２の後方からの斜視図、図７は球発射装置２の側面図、図８は球発射装置２の平面図、図９は球発射装置２の正面図、図１０は球発射装置２の背面図、図１１は球発射装置２の断面図である。これらの各図に示すように、球発射装置２は、励磁コイル４を備える中空本体部３と、パチンコ球Ｔを打撃するプランジャ本体７１，打撃棒９１，ハンマー９２からなるプランジャ７とを備える。中空本体部３は、図１２に分解斜視図で示すように、励磁コイル４が巻かれた中空のボビン５と、ボビン５の前端側フランジ５２及び後端側フランジ５３に面接触してボビン５を支持する金属ハウジング６とからなる。
【００２５】
ボビン５は、図１４〜図１７に示すように、円筒状のボビン本体５１の長さ方向両端部に前端側フランジ５２及び後端側フランジ５３を備える形状を呈している。前端側フランジ５２は、平面視円形状に形成されており（図１７参照）、ボビン本体５１の軸心を中心として金属ハウジング６に面接触するその外側面を４等分するように、４本の空気排出溝５２ａが放射状に延設されている。後端側フランジ５３は、平面視略四角形状に形成されており、その内側面には、ボビン本体５１の基端部近傍から後端側フランジ５３の対向する辺部に延びる２本の凹溝５３ａが延設されている（図１４参照）。ボビン本体５１の外周に巻かれる励磁コイル４の両端側の配線は、この凹溝５３ａ内を通って基板ケースユニット１５ｂ内の球発射制御基板に接続される。また、ボビン本体５１の前端側の内周面には、ボビン本体５１の内周面を周方向に４等分するように、４本の空気導通突条５１ａがボビン本体５１の前端縁にかけて延設されている。
【００２６】
空気導通突条５１ａは、ボビン本体５１の前端開口部５２ｂにおける隣接する各空気排出溝５２ａ間のほぼ中央部から、ボビン本体５１の長さ方向の内周中央部にかけて、ボビン本体５１の長さ方向に沿って突出して延びている。空気導通突条５１ａは、ボビン本体５１の内周面および後述するプランジャガイド５４の外周面とで空気導通路を構成している。空気導通路は、中空本体部３のボビン５とプランジャガイド５４との間を通して、プランジャ本体７１の前方にあるボビン５内の空気を中空本体部３の外部に導く。また、各空気排出溝５２ａは、ボビン５の前端開口部５２ｂの周縁から前端側フランジ５２の外縁にかけて放射状に延びている。空気排出溝５２ａは、金属ハウジング６の前端壁の内面とで空気排出路を構成しており、ボビン５の前端開口部５２ｂまで空気導通路を移動してきた空気を、中空本体部３の外部に放出する。
【００２７】
後端側フランジ５３の後端面には、ボビン本体５１の後端開口部５３ｂの周縁に沿って段差部５３ｃが形成されている（図１５，図１６参照）。段差部５３ｃには、図１２に示すように、プランジャ７のプランジャ本体７１を支持する軸受５５が挿入される。軸受５５は、プランジャ本体７１の外径よりわずかに大きい内径を有する円筒状の軸受本体５５ａの前端に、フランジ５５ｂが形成されており、段差部５３ｃにこのフランジ５５ｂが載置されてボビン５に取り付けられる。
【００２８】
また、ボビン５は、ボビン本体５１の外周に励磁コイル４が巻かれている。励磁コイル４の両端側の配線は、後端側フランジ５３に形成された凹溝５３ａ内を通って、中空本体部３の外部に設けられた電源に接続されている。
【００２９】
また、ボビン５内には、図１１および図１２に示すように、プランジャガイド５４が設けられている。プランジャガイド５４は、ボビン５の前端側に移動するプランジャ７を案内し、かつ、励磁コイル４の励磁によって生じる磁束を強めて、プランジャ７をボビン５の前端側に引き寄せる力を助長する。プランジャガイド５４は、ボビン５の内周面に形成された空気導通突条５１ａに当接する外径を有する円柱体から形成されたガイド本体５４ａと、ガイド本体５４ａよりも小さな外径を有する円筒状の先端筒部５４ｂとから構成されている。ガイド本体５４ａには前端面から後端面にかけて貫通し、打撃棒９１の移動を案内する貫通孔５４ｃが形成されている。貫通孔５４ｃは、打撃棒９１の外径よりもやや大きな内径を有し、長さ方向の中央部から後端開口部５３ｂに向かって徐々にテーパー状に拡径している。先端筒部５４ｂは、前端側の貫通孔５４ｃよりもやや大きな内径に形成されており、プランジャ７の打撃棒９１を支持する軸受５６が図１１に示すように挿通される。
【００３０】
金属ハウジング６は、図１２に示すように四角筒状に形成されており、ボビン５の前端側フランジ５２に面接触する前端壁には前端挿通孔６１ａが形成され、後端側フランジ５３と面接触する後端壁には後端挿通孔６１ｂが形成されている。前端挿通孔６１ａにはプランジャガイド５４の先端筒部５４ｂが嵌入され、後端壁の挿通孔６１ｂには軸受５５の軸受本体５５ａが挿通される。後端壁の外面には支持軸６２が突設されている。支持軸６２は、断面円形の棒状体から構成されており、後端挿通孔６１ｂの中心から所定距離離間した位置から、後端壁に対してほぼ垂直方向に延びてプランジャ７の軸心に平行になっている。
【００３１】
図１３は、プランジャ７の分解斜視図である。図１１および図１３に示すように、プランジャ７は、プランジャ本体７１と、打撃棒９１と、ハンマー９２とを備える。プランジャ本体７１は、円柱体の先端部にテーパー部７１ａを設け、後端部に縮径部７１ｂを設けた外形を有している。プランジャ本体７１の先端面には、打撃棒９１がネジ止めされるネジ孔７１ｃが形成されている。プランジャ本体７１の長さ方向中央部から後端部にかけては圧縮コイルバネ７２が取り付けられている。圧縮コイルバネ７２は、一端がボビン５の後端側フランジ５３で、他端がフランジ部材８の一面で受けられており、フランジ部材８を介してプランジャ７を中空本体部３の後方に付勢している。また、プランジャ本体７１の縮径部７１ｂには、２つの緩衝用ゴムリング７３を介してフランジ部材８が嵌入され、さらに脱落防止リング８３が嵌着されている。
【００３２】
フランジ部材８は、図１０に拡大して示すように、リング板状のフランジ本体８１と、リンク部材８２とから形成されている。フランジ本体８１は、図１１に示すように、中央部に形成された開口がプランジャ本体７１の縮径部７１ｂに嵌着されている。フランジ本体８１の開口部の周縁部は肉厚に形成されており、この肉厚部の周囲に圧縮コイルバネ７２の一端が嵌め込まれている。リンク部材８２は、フランジ本体８１の一部がかたどられて形成されている。つまり、リンク部材８２は、図１０に示すように、フランジ本体８１の外周縁の一部からフランジ本体８１の外方に向けて延びる一対の平行棒体８２ａ，８２ａから構成されている。両平行棒体８２ａ，８２ａは、互いに所定間隔離間して平行に延びており、その間隔は、支持軸６２の外径よりもわずかに長く設定されている。このような構成のリンク部材８２は、支持軸６２と共に、プランジャ７の自転を規制する自転規制部を構成している。
【００３３】
打撃棒９１は、図１１および図１３に示すように、プランジャ本体７１よりも小さな外径の円柱体から形成されている。打撃棒９１は、先端部９１ａにハンマー９２が固着され、後端に形成された後端雄ネジ部９１ｂでプランジャ本体７１にネジ止めされている。ハンマー９２は、エラストマ等の弾性部材により形成されており、円柱体の長さ方向中央部から先端部にかけて徐々に縮径している。ハンマー９２は、先端面が平坦に形成されており、後端面には打撃棒９１の先端部９１ａが嵌入される嵌入孔９２ａが開口している。
【００３４】
次に、このように構成される球発射装置２の動作について説明する。
【００３５】
球発射装置２は、励磁コイル４が励磁されていない状態では、圧縮コイルばね７２によりフランジ部材８がボビン５の後方に付勢されており、プランジャ７がボビン５の後端側に位置している。また、打撃棒９１は、金属ハウジング６の前端壁から金属ハウジング６の前方に僅かに突出している。この状態から励磁コイル４が励磁されると、この励磁に伴い生じる磁力により、プランジャ７がボビン５内をボビン５の前端側に移動する。この際、リンク部材８２を構成する一対の平行棒体８２ａは、支持軸６２を挟み込んだ状態で、プランジャ７の移動に従い支持軸６２と摺動して、プランジャ７の自転を規制する。プランジャ７がボビン５の前端側に移動するのに伴い、金属ハウジング６の前端壁から打撃棒９１が大きく突出し、球保持部１８に位置するパチンコ球Ｔをハンマー９２が打撃する。この打撃力により撃ち出されたパチンコ球Ｔは、球誘導路１７を通って透明遊技盤１２の盤面に打ち出される。
【００３６】
プランジャ７は、プランジャ本体７１に嵌着した緩衝用ゴムリング７３にフランジ本体８１の肉厚部分が衝突することにより、ボビン５の先端側への移動を停止する。また、ボビン５の先端側へのプランジャ７の移動の際、プランジャ本体７１の前方にあるボビン５内の空気は、プランジャ本体７１の移動によりボビン５の前端側に押される。ボビン５の前端側に押された空気は、ボビン５の内周面とプランジャガイド５４との間に形成された空気導通路を通ってボビン５の前端開口部５２ｂまで移動する。そして、ボビン５の前端側フランジ５２と金属ハウジング６との間に形成された空気排出路を通って中空本体部３の外部に放出される。励磁コイル４の励磁が停止すると、プランジャ７は、圧縮コイルバネ７２の付勢力によりボビン５の後端側に移動し、これに伴い打撃棒９１およびハンマー９２が元の位置に復帰する。
【００３７】
このように、本実施形態によるパチンコ機１では、プランジャガイド５４とプランジャ本体７１との間に位置する空気は、プランジャ本体７１がボビン５内をボビン５の前端側に移動することにより、プランジャガイド５４の外周面とボビン本体５１の内周面との間に空気導通突条５１ａによって形成される空気導通路を通って、ボビン本体５１の前端側に導かれる。そして、金属ハウジング６の前端壁と前端側フランジ５２の外側面との間に空気排出溝５２ａによって形成される空気排出路を通って中空本体部３の外部に放出される。このため、プランジャガイド５４とプランジャ本体７１との間に位置する空気の抵抗により、プランジャ７によるパチンコ球Ｔの打撃力にばらつきが生じるのを防止できる。従って、励磁コイル４の消費電力ロスを抑えつつ、プランジャ７によるパチンコ球Ｔの打撃力を安定させることが出来る。
【００３８】
また、ボビン本体５１の内周面に、プランジャ７の移動方向に沿って空気導通突条５１ａを延設するという簡単な構成により、空気導通路が形成されているので、パチンコ機１の製造コストが高くなるのを抑制することが出来る。
【００３９】
また、プランジャガイド５４の周方向に沿って複数の空気導通路が所定間隔で設けられているので、ボビン５内の空気を、ボビン５内から中空本体部３の外部に、プランジャガイド５４の周方向に均等に放出させることが出来る。このため、プランジャ７の移動の際のバランスを安定させられるので、プランジャ７によるパチンコ球Ｔの打撃力にばらつきが生じるのを効果的に防止できると共に、励磁コイル４の消費電力ロスをさらに小さく抑えることが出来る。
【００４０】
また、ボビン本体５１に設けられた空気導通路が、ボビン本体５１の前端開口部５２ｂから前端側フランジ５２の外周縁にかけて延設された空気排出路につながっており、プランジャ本体７１の移動によってボビン本体５１の前端側まで空気導通路内を押されてきた空気が、空気排出路を通って中空本体部３の外部に導かれる。このため、ボビン５内の空気を中空本体部３の外部に効果的に排出できる。また、前端側フランジ５２に空気排出溝５２ａを延設するという簡単な構成により、空気排出路を形成することが出来るので、パチンコ機１の製造コストが高くなるのを抑制することが出来る。
【００４１】
また、空気排出路が前端開口部５２ａから前端側フランジ５２の外周縁にかけて放射状に複数設けられているので、空気導通路を伝ってボビン５の前端開口部５２ａまで来たボビン５内の空気が、空気排出路を経由してより効果的に中空本体部３の外部に排出される。
【００４２】
なお、上記実施形態では、支持軸６２を挟み込むように設けられた一対の平行棒体８２ａ，８２ａからリンク部材８２が形成されている場合について説明した。しかし、リンク部材８２の形状は、プランジャ７と支持軸６２とを連結して、励磁コイル４の励磁に伴うプランジャ７の移動に従い、支持軸６２に摺接した状態で移動し得るのであれば任意である。例えば、支持軸６２が挿通する挿通孔をフランジ部材８が有する形状に形成してもよい。また、上記実施形態では、リンク部材８２が、フランジ本体８１と一体に形成されて、プランジャ７側に固定されている場合について説明した。しかし、リンク部材８２は必ずしもフランジ本体８１と一体に形成する必要はなく、別体に形成してプランジャ７に固定してもよい。また、リンク部材８２を支持軸６２側に固定して、ボビン５の前端側へのプランジャ７の移動に伴い、リンク部材８２がプランジャ７に摺接するように構成してもよい。
【００４３】
また、上記実施形態では、プランジャ本体７１と打撃棒９１を互いにネジ止めすることによりプランジャ７が構成されている場合について説明した。しかし、プランジャ７は、例えば、これらを一体にして構成してもよい。また、プランジャ７をボビン５の後方に付勢する手段は、圧縮コイルバネ７２に限らず、他の手段を用いることも出来る。また、ボビン５を構成するボビン本体５１及び前端側フランジ５２に設ける空気導通突条５１ａ及び空気排出溝５２ａの数量も４個に限らず任意であり、例えば、８個ずつ設ける構成としてもよい。また、空気導通路を構成する空気導通突条５１ａは、ボビン本体５１でなくプランジャガイド５４の外周面に設けてもよい。また、空気排出路を構成する空気排出溝５２ａは、前端側フランジ５２でなく金属ハウジング６の前端壁に設けてもよい。また、空気導通路は、ボビン本体５１やプランジャガイド５４に突条でなく溝部を設けることにより構成してもよい。また、空気排出路は、前端側フランジ５２や金属ハウジング６の前端壁に突条を設けることにより構成してもよい。
【産業上の利用可能性】
【００４４】
上記実施形態においては、本発明による遊技機をパチンコ機に適用した場合について説明したが、球を打撃して撃ち出す球発射装置を備える他の遊技機に本発明を適用することも可能である。このような遊技機に本発明を適用した場合においても上記実施形態と同様な作用効果が奏される。
【図面の簡単な説明】
【００４５】
【図１】本発明の一実施形態によるパチンコ機の外観を示す斜視図である。
【図２】本発明の一実施形態によるパチンコ機の分解斜視図である。
【図３】本発明の一実施形態によるパチンコ機の中枠を示す斜視図である。
【図４】図３に示す中枠に設けられた球送り部及び球発射装置を拡大して示す斜視図である。
【図５】図４に示す状態から球送り部を取り外した状態を示す斜視図である。
【図６】図５に示す球発射装置の後方からの斜視図である。
【図７】図５に示す球発射装置の側面図である。
【図８】図５に示す球発射装置の平面図である。
【図９】図５に示す発射装置の正面図である。
【図１０】図５に示す球発射装置の背面図である。
【図１１】図５に示す球発射装置の断面図である。
【図１２】図５に示す球発射装置を構成する中空本体部の分解斜視図である。
【図１３】図５に示す球発射装置を構成するプランジャの分解斜視図である。
【図１４】図１２に示す中空本体部を構成するボビンの斜視図である。
【図１５】図１４に示すボビンの断面図である。
【図１６】図１４に示すボビンの他の断面図である。
【図１７】図１４に示すボビンの正面図である。
【符号の説明】
【００４６】
１…パチンコ機
２…球発射装置
３…中空本体部
４…励磁コイル
５…ボビン
５１…ボビン本体
５２…前端側フランジ
５３…後端側フランジ
５２ａ…空気排出溝
５１ａ…空気導通突条
５４…プランジャガイド
５４ａ…ガイド本体
５４ｂ…先端筒部
５４ｃ…貫通孔
６…金属ハウジング
６１ａ，６１ｂ…挿通孔
６２…支持軸
７…プランジャ
７１…プランジャ本体
７２…圧縮コイルバネ
８…フランジ部材
８１…フランジ本体
８２…リンク部材
８２ａ…平行棒体
８３…脱落防止リング
９１…打撃棒
９２…ハンマー
【図１】
2005185323.tif 000003
【図２】
2005185323.tif 000004
【図３】
2005185323.tif 000005
【図４】
2005185323.tif 000006
【図５】
2005185323.tif 000007
【図６】
2005185323.tif 000008
【図７】
2005185323.tif 000009
【図８】
2005185323.tif 000010
【図９】
2005185323.tif 000011
【図１０】
2005185323.tif 000012
【図１１】
2005185323.tif 000013
【図１２】
2005185323.tif 000014
【図１３】
2005185323.tif 000015
【図１４】
2005185323.tif 000016
【図１５】
2005185323.tif 000017
【図１６】
2005185323.tif 000018
【図１７】
2005185323.tif 000019